(57)【要約】【課題】回路基板の対応回路部との接続固定強度を大きくしつつ、回路基板からの端子の接続部の剥離を防止するとともに、該接続部に対して直接作用する外力による該接続部の損傷を防止できるレセプタクルコネクタ及びプラグコネクタ、そして回路基板付レセプタクルコネクタを提供する。【解決手段】レセプタクルコネクタ１は、レセプタクル端子２０が、ハウジング１０の受入部１５のＵ字状の内壁面に沿って延びる受入Ｕ字状部２１と、受入Ｕ字状部２１の二つの腕部２１Ａ、２１Ｃのうちいずれかの腕部２１Ｃの嵌合側端部から移行部２２を経て基板側へ向けて延び起立壁１３に保持される被保持部２３と、被保持部２３の基板側端部からコネクタ幅方向に延びる接続部２４とを有し、接続部２４は、コネクタ幅方向にて、ハウジング１０の底壁１１の範囲内で受入Ｕ字状部２１よりも外側に位置する部分の寸法が受入Ｕ字状部２１の寸法よりも大きくなっている。【選択図】図２
2015232970.tif 000002
【特許請求の範囲】
【請求項１】
回路基板上に配され該回路基板の面に対して直角な方向でプラグコネクタが嵌合接続されるレセプタクルコネクタであって、
回路基板の面に対して平行な底面をもつ底壁及び該底壁から起立し回路基板の面に対して平行な一方向に延びる少なくとも二つの起立壁を有するハウジングと、
少なくとも一つの起立壁に配列保持される複数のレセプタクル端子とを備え、
ハウジングは、起立壁同士の対面方向であるコネクタ幅方向での起立壁の対向内側面と底壁の嵌合側の上面とで形成されるＵ字状の内壁面で、プラグコネクタに形成された嵌合部を受け入れるための受入部が形成されており、
レセプタクル端子は、上記受入部の上記内壁面に沿って延び端子配列方向に見て嵌合側へ開口したＵ字状をなす受入Ｕ字状部と、上記起立壁の内側面に沿う上記受入Ｕ字状部のいずれかの腕部の嵌合側端部から移行部を経て基板側へ向けた成分をもって延び起立壁に保持される被保持部と、該被保持部の基板側端部から上記底壁の底面に沿ってコネクタ幅方向に延び回路基板の対応回路部に接続される接続部とを有するレセプタクルコネクタにおいて、
レセプタクル端子の接続部は、コネクタ幅方向にて、ハウジングの底壁の範囲内で受入Ｕ字状部よりも外側に位置する部分の寸法が受入Ｕ字状部の寸法よりも大きくなっていることを特徴とするレセプタクルコネクタ。
【請求項２】
レセプタクル端子は、被保持部が基板側へ向かうにつれてコネクタ幅方向で受入Ｕ字状部に近づくように延びており、接続部が上記被保持部の基板側端部からコネクタ幅方向で受入Ｕ字状部から離れるように延びていることとする請求項１に記載のレセプタクルコネクタ。
【請求項３】
ハウジングは、コネクタ幅方向での両端に位置する起立壁対の端子配列方向での端部同士を連結する端壁対をも有しており、上記起立壁対および上記端壁対のうち少なくとも一方の対の嵌合側端面が回路基板に対して平行な平坦面を有し、該平坦面が、回路基板へのコネクタ実装時に嵌合側からの押圧力を受ける被圧面として形成されていることとする請求項１または請求項２に記載のレセプタクルコネクタ。
【請求項４】
ハウジングは、レセプタクル端子の被保持部を保持する起立壁の嵌合側端面に被圧面が形成されており、
レセプタクル端子は、上記被圧面と相俟って一つの平面を形成するように該レセプタクル端子の一部が上記被圧面から露呈する露呈部を有しており、
回路基板へのコネクタ実装時に上記露呈部が外部から熱が加えられることにより、該熱が接続部へ伝播するようになっていることとする請求項３に記載のレセプタクルコネクタ。
【請求項５】
レセプタクル端子の露呈部は、移行部に形成されており、被保持部を介して接続部と連結されていることとする請求項４に記載のレセプタクルコネクタ。
【請求項６】
レセプタクル端子は、接続部の端部のうち被保持部から離反する側の端部より嵌合側へ向けた成分をもって起立壁の被圧面まで延びる延長部を有し、
レセプタクル端子の露呈部は、上記延長部の嵌合側端部から延びて形成されており、該延長部を介して上記接続部と連結されていることとする請求項４に記載のレセプタクルコネクタ。
【請求項７】
請求項１ないし請求項７に記載のレセプタクルコネクタが導電層を介して回路基板上に配された回路基板付電気コネクタであって、
レセプタクル端子の受入Ｕ字状部は、一つの起立壁の内側面に沿って延びプラグ端子と接触可能な接触部が形成された接触腕部を有し、
ハウジングは、該接触腕部を収容可能な端子溝が上記起立壁の内側面に没して形成されているとともに、底壁に、コネクタ幅方向で上記起立壁と対応する位置で上記端子溝と連通する孔部が貫通形成されており、
レセプタクル端子の接続部と回路基板の対応回路部とが上記導電層を介して電気的に導通しているとともに、ハウジングの上記孔部の基板側開口が上記導電層によって閉塞されていることを特徴とする回路基板付レセプタクルコネクタ。
【請求項８】
回路基板上に配され該回路基板の面に対して直角な方向でレセプタクルコネクタへ嵌合接続されるプラグコネクタであって、
回路基板の面に対して平行な底面をもつ底壁及び該底壁から起立し回路基板の面に対して平行な一方向に延びる少なくとも二つの起立壁を有するハウジングと、
少なくとも一つの起立壁に配列保持される複数のプラグ端子とを備え、
ハウジングは、少なくとも一つの起立壁が、レセプタクルコネクタに設けられた受入部へ突入するための嵌合部として形成されており、
プラグ端子は、上記嵌合部としての起立壁の両側面及び嵌合側端面に沿って延び端子配列方向に見て嵌合側に頂部をもつＵ字状をなす突入Ｕ字状部と、上記起立壁の両側面に沿う上記突入Ｕ字状部のいずれかの腕部の基板側端部から上記底壁の底面に沿ってコネクタ幅方向に延び回路基板の対応回路部に接続される接続部とを有するプラグコネクタにおいて、
プラグ端子の接続部は、起立壁同士の対面方向であるコネクタ幅方向にて、ハウジングの底壁の範囲内で突入Ｕ字状部よりも外側に位置する部分の寸法が突入Ｕ字状部の寸法よりも大きくなっていることを特徴とするプラグコネクタ。
【請求項９】
ハウジングは、コネクタ幅方向での両端に位置する起立壁対の端子配列方向での端部同士を連結する端壁対をも有しており、上記起立壁対および上記端壁対のうち少なくとも一方の対の嵌合側端面が回路基板に対して平行な平坦面を有し、該平坦面が、回路基板へのコネクタ実装時に嵌合側からの押圧力を受ける被圧面として形成されていることとする請求項８に記載のプラグコネクタ。
【発明の詳細な説明】
【技術分野】
【０００１】
本発明は、回路基板上に配され該回路基板の面に対して直角な方向で互いに嵌合接続されるレセプタクルコネクタ及びプラグコネクタ、そして上記レセプタクルコネクタが導電層を介して回路基板上に配された回路基板付レセプタクルコネクタに関する。
【背景技術】
【０００２】
この種の回路基板用電気コネクタとして、例えば、特許文献１に記載のレセプタクルコネクタ及びプラグコネクタが知られている。特許文献１では、レセプタクルコネクタのハウジングは、回路基板に対面する底壁と、底壁から起立する突壁及び該突壁を囲む周壁を有している。周壁は、端子を配列保持して長手方向（端子配列方向）に延びる二つの側壁と、端子配列方向に対して直角なコネクタ幅方向に延び上記二つの側壁の端部同士を連結する二つの端壁とを有している。上記突壁は、上記二つの側壁同士間で端子配列方向に、すなわち側壁と平行に延びている。また、周壁と突壁との間の環状空間は、プラグコネクタの嵌合部を嵌合側、すなわち上方から受け入れるための受入部として形成されている。
【０００３】
このようなレセプタクルコネクタにあっては、レセプタクル端子は、上記ハウジングの側壁に配列保持されており、端子配列方向に見て、受入部に対応する範囲で底壁の上面に沿ってコネクタ幅方向に延びる基部と、基部の一端から突壁の側面に沿って上方へ延びプラグコネクタのプラグ端子に接触可能な弾性腕部と、基部の他端から側壁の内側面、上面そして外側面に沿って逆Ｕ字状に延び側壁に保持される被保持部と、該被保持部の外側脚部の下端からコネクタ幅方向外方へ延び回路基板と接続される接続部とを有している。該レセプタクル端子は、基部、弾性腕部そして被保持部の内側脚部で形成される受入Ｕ字状部で、プラグ端子の後述の突状Ｕ字状部を受け入れるようになっている。
【０００４】
一方、プラグコネクタのハウジングは、回路基板に対面する底壁と該底壁から起立してレセプタクルコネクタの受入部に適合した環状をなす周壁とを有している。該プラグコネクタの周壁は、レセプタクルコネクタの周壁と同様に、端子を配列保持して長手方向（端子配列方向）に延びる二つの側壁と、端子配列方向に対して直角なコネクタ幅方向に延び上記二つの側壁の端部同士を連結する二つの端壁とを有している。
【０００５】
このようなプラグコネクタにあっては、プラグ端子は、上記ハウジングの側壁に配列保持されており、プラグコネクタをコネクタ嵌合直前の姿勢、すなわち底壁が上方に位置するような姿勢としたとき、上記端子配列方向に見て側壁の外面に沿ってＵ字状に延びる突入Ｕ字状部（嵌入部）と、該突入Ｕ字状部の内側脚部の上端からコネクタ幅方向外方へ延び回路基板と接続される接続部とを有している。
【先行技術文献】
【特許文献】
【０００６】
【特許文献１】特開２０１２−１６０３６０
【発明の概要】
【発明が解決しようとする課題】
【０００７】
特許文献１のような回路基板上に実装されるレセプタクルコネクタ及びプラグコネクタは、コネクタ幅方向での小型化が要求される傾向があり、ハウジングが限られた幅寸法となっている。また、ハウジングに保持されるレセプタクル端子そしてプラグ端子も、通常は、該ハウジングの幅寸法に近い寸法で作られる。
【０００８】
プラグコネクタは、レセプタクルコネクタへの挿抜過程にて、回路基板に直角な正規の挿抜方向に対してコネクタ幅方向で傾斜した姿勢で挿抜されることがあり、その際、傾斜姿勢にあるプラグコネクタの側壁はレセプタクルコネクタの側壁や突壁にコネクタ幅方向で強く当接して、該側壁や突壁から大きい反力を受けることとなる。したがって、プラグコネクタの側壁は、上記反力に対して対抗可能な程度に十分大きい壁厚寸法（コネクタ幅寸法）で形成されることが多い。したがって、プラグコネクタの側壁に保持されるプラグ端子の突入Ｕ字状部も、該側壁の壁厚寸法に合わせてコネクタ幅方向で大きく形成される。上述したようにプラグ端子がコネクタ幅方向にてハウジングの寸法に合わせて限定された寸法のもとで作られる関係上、コネクタ幅方向での突入Ｕ字状部の寸法が大きくなると、その分、回路基板に半田接続される接続部の寸法が小さくなる。
【０００９】
また、レセプタクルコネクタのレセプタクル端子は、上述したように上記受入Ｕ字状部でプラグ端子の突入Ｕ字状部を受け入れるようになっているので、上記受入Ｕ字状部は、上記突入Ｕ字状部を受け入れるための受入間隔、換言するとコネクタ幅方向での上記弾性腕部と上記内側脚部との距離が大きく形成される。上述したようにレセプタクル端子がコネクタ幅方向にてハウジングの寸法に合わせて限定された寸法のもとで作られる関係上、コネクタ幅方向での受入Ｕ字状部の寸法が大きくなると、その分、接続部のために残された寸法が小さくなり、その結果、接続部自体の寸法が小さくなる。
【００１０】
このようにレセプタクル端子そしてプラグ端子のそれぞれの接続部の寸法が小さいと、回路基板の対応回路部に対する実装面積が十分に確保されず、該対応回路部との固定強度（以下、「接続固定強度」という）が不十分となってしまう。
【００１１】
一方、ハウジングの幅寸法を大きくすることなく、レセプタクル端子そしてプラグ端子のそれぞれの接続部のみをコネクタ幅方向外方へ向けて長く形成すれば、コネクタ幅方向での小型化の要求を満足しつつ、上記接続部の実装面積を増大して接続固定強度が向上させることができる。しかし、上記接続部がハウジングの側壁から大きく延出することとなるので、回路基板へのコネクタ実装前において、上記接続部の延出部分に対して不用意な外力が作用したとき、該延出部分が端子配列方向や上下方向の成分をもった方向で容易に屈曲変形してしまうおそれがある。このような接続部の屈曲変形は、接続部自体の破損や回路基板との接続不良の発生につながる。
【００１２】
また、コネクタ挿抜過程にてプラグコネクタが傾斜姿勢となったとき、レセプタクル端子の受入Ｕ字状部とプラグ端子の突入Ｕ字状部は、コネクタ幅方向で当接して該コネクタ幅方向で互いに反力を生じ合うこととなる。したがって、レセプタクル端子及びプラグ端子では、それぞれ上記受入Ｕ字状部そして上記突入Ｕ字状部よりもコネクタ幅方向での外側に位置する接続部に上記反力に起因する曲げ応力が作用することとなり、該曲げ応力に対して上記接続部で耐えなければならない。
【００１３】
しかし、特許文献１では、レセプタクル端子そしてプラグ端子のそれぞれの接続部は、コネクタ幅方向での寸法が小さいのに加え、受入Ｕ字状部あるいは突入Ｕ字状部の近傍にしか存在していないので、上記曲げ応力に対して耐えることができずに上記接続部が対応回路部から剥離してしまうおそれがある。
【００１４】
本発明は、このような事情に鑑み、回路基板の対応回路部との接続固定強度を大きくしつつ、上記傾斜姿勢のもとでのコネクタ挿抜時に端子の接続部に作用する曲げ応力に対して該接続部で十分に耐えることにより、回路基板からの端子の接続部の剥離を防止するとともに、上記接続部に対して直接作用する外力による該接続部の損傷を防止できるレセプタクルコネクタ及びプラグコネクタ、そして回路基板付レセプタクルコネクタを提供することを課題とする。
【課題を解決するための手段】
【００１５】
本発明によれば、上述の課題は、次の第一発明に係るレセプタクルコネクタ、第二発明に係る回路基板付レセプタクルコネクタ及び第三発明に係るプラグコネクタにより解決される。
【００１６】
＜第一発明＞
第一発明に係るレセプタクルコネクタは、回路基板上に配され該回路基板の面に対して直角な方向でプラグコネクタが嵌合接続されるレセプタクルコネクタであって、回路基板の面に対して平行な底面をもつ底壁及び該底壁から起立し回路基板の面に対して平行な一方向に延びる少なくとも二つの起立壁を有するハウジングと、少なくとも一つの起立壁に配列保持される複数のレセプタクル端子とを備え、ハウジングは、起立壁同士の対面方向であるコネクタ幅方向での起立壁の対向内側面と底壁の嵌合側の上面とで形成されるＵ字状の内壁面で、プラグコネクタに形成された嵌合部を受け入れるための受入部が形成されており、レセプタクル端子は、上記受入部の上記内壁面に沿って延び端子配列方向に見て嵌合側へ開口したＵ字状をなす受入Ｕ字状部と、上記起立壁の内側面に沿う上記受入Ｕ字状部のいずれかの腕部の嵌合側端部から移行部を経て基板側へ向けた成分をもって延び起立壁に保持される被保持部と、該被保持部の基板側端部から上記底壁の底面に沿ってコネクタ幅方向に延び回路基板の対応回路部に接続される接続部とを有する。
【００１７】
かかるレセプタクルコネクタにおいて、本発明では、レセプタクル端子の接続部は、コネクタ幅方向にて、ハウジングの底壁の範囲内で受入Ｕ字状部よりも外側に位置する部分の寸法が受入Ｕ字状部の寸法よりも大きくなっていることを特徴としている。
【００１８】
本発明では、レセプタクル端子の接続部は、コネクタ幅方向にて、ハウジングの底壁の範囲内で受入Ｕ字状部よりも外側に位置する部分の寸法が受入Ｕ字状部の寸法よりも大きくなっている。このように接続部のコネクタ幅方向寸法を大きくすることにより、該接続部における回路基板の対応回路部との実装面積を大きくすることができ、接続固定強度を向上させることができる。
【００１９】
また、レセプタクル端子の接続部は、ハウジングの底壁の範囲内に位置する部分によってコネクタ幅方向での十分な寸法を確保しているので、接続固定強度を向上させるために接続部をハウジングから外方へ延出させる必要がなくなる、あるいは延出する寸法を最小限に留めることができる。したがって、回路基板へのコネクタ実装前において、不用意な外力が接続部に作用しにくくなるので、接続部の損傷を防止できる。
【００２０】
また、レセプタクル端子の接続部は、受入Ｕ字状部よりも外側に位置する部分の寸法が大きく確保されており、上記接続部が受入Ｕ字状部から上記寸法分だけ離れた範囲にまで及んで存在している。したがって、コネクタ挿抜過程にてプラグコネクタが傾斜姿勢となった場合、レセプタクル端子の受入Ｕ字状部がプラグ端子の突入Ｕ字状部からコネクタ幅方向に受ける反力に起因して上記接続部に曲げ応力が生じても、該曲げ応力に対して上記接続部で十分に耐えることができ、対応回路部からの接続部の剥離を良好に防止できる。
【００２１】
本発明において、レセプタクル端子は、被保持部が基板側へ向かうにつれてコネクタ幅方向で受入Ｕ字状部に近づくように延びており、接続部が上記被保持部の基板側端部からコネクタ幅方向で受入Ｕ字状部から離れるように延びていてもよい。レセプタクル端子をこのような形状とすると、被保持部が傾斜することなく基板側へ延びる場合と比べて、接続部におけるハウジングの底壁の範囲内に位置する部分の寸法を大きくすることができる。この結果、接続部における回路基板の対応回路部との実装面積をさらに大きくすることができ、接続固定強度を向上させることができる。
【００２２】
本発明において、ハウジングは、コネクタ幅方向での両端に位置する起立壁対の端子配列方向での端部同士を連結する端壁対をも有しており、上記起立壁対および上記端壁対のうち少なくとも一方の対の嵌合側端面が回路基板に対して平行な平坦面を有し、該平坦面が、回路基板へのコネクタ実装時に嵌合側からの押圧力を受ける被圧面として形成されていてもよい。
【００２３】
回路基板上へのコネクタの実装時に該コネクタを嵌合側から押圧する必要がある場合、例えば、異方性導電膜（ＡＣＦ）や異方性導電ペースト（ＡＣＰ）等で形成された導電層を介して回路基板にコネクタを実装する場合、上述のように回路基板に対して平行な平坦面をなす被圧面を形成しておくことにより、押圧部材等で嵌合側から押圧して、全ての端子の接続部を、それぞれ対応する対応回路部に対して均等に接続させることができる。
【００２４】
本発明において、ハウジングは、レセプタクル端子の被保持部を保持する起立壁の嵌合側端面に被圧面が形成されており、レセプタクル端子は、上記被圧面と相俟って一つの平面を形成するように該レセプタクル端子の一部が上記被圧面から露呈する露呈部を有しており、回路基板へのコネクタ実装時に上記露呈部が外部から熱が加えられることにより、該熱が接続部へ伝播するようになっていてもよい。
【００２５】
回路基板上へのコネクタの実装時に該コネクタを嵌合側から押圧するとともに接続部を加熱する必要がある場合、例えば、ＡＣＦやＡＣＰ等で形成された導電層を介して回路基板にコネクタを実装する場合、上述のようにレセプタクル端子に露呈部を設けておくことにより、加熱機能をもつ押圧部材等でコネクタの被圧面を押圧するとともに、端子の露呈部を加熱することができる。金属部材である端子は良伝熱性であるので、露呈部に加えられた熱は接続部へ伝播して、該接続部が対応回路部に対して接続される。
【００２６】
本発明において、レセプタクル端子の露呈部は、移行部に形成されており、被保持部を介して接続部と連結されていてもよい。また、本発明において、レセプタクル端子は、接続部の端部のうち被保持部から離反する側の端部より嵌合側へ向けた成分をもって起立壁の被圧面まで延びる延長部を有し、レセプタクル端子の露呈部は、上記延長部の嵌合側端部から延びて形成されており、該延長部を介して上記接続部と連結されていてもよい。
【００２７】
＜第二発明＞
第二発明に係る回路基板付レセプタクルコネクタは、第一発明に係るレセプタクルコネクタが導電層を介して回路基板上に配された回路基板付電気コネクタであって、レセプタクル端子の受入Ｕ字状部は、一つの起立壁の内側面に沿って延びプラグ端子と接触可能な接触部が形成された接触腕部を有し、ハウジングは、該接触腕部を収容可能な端子溝が上記起立壁の内側面に没して形成されているとともに、底壁に、コネクタ幅方向で上記起立壁と対応する位置で上記端子溝と連通する孔部が貫通形成されており、レセプタクル端子の接続部と回路基板の対応回路部とが上記導電層を介して電気的に導通しているとともに、ハウジングの上記孔部の基板側開口が上記導電層によって閉塞されていることを特徴としている。
【００２８】
回路基板ヘのコネクタの実装時に、接続部にコーティング剤が塗布されることがある。本発明では、ハウジングの孔部の下部開口が導電層によって閉塞されているので、上記コーティング剤が上記孔部を経て接触腕部の接触部まで達することがない。したがって、レセプタクル端子の接触部にコーティング剤が付着することによるプラグ端子との接触不良の発生を確実に防止できる。
【００２９】
＜第三発明＞
第三発明に係るプラグコネクタは、回路基板上に配され該回路基板の面に対して直角な方向でレセプタクルコネクタへ嵌合接続されるプラグコネクタであって、回路基板の面に対して平行な底面をもつ底壁及び該底壁から起立し回路基板の面に対して平行な一方向に延びる少なくとも二つの起立壁を有するハウジングと、少なくとも一つの起立壁に配列保持される複数のプラグ端子とを備え、ハウジングは、少なくとも一つの起立壁が、レセプタクルコネクタに設けられた受入部へ突入するための嵌合部として形成されており、プラグ端子は、上記嵌合部としての起立壁の両側面及び嵌合側端面に沿って延び端子配列方向に見て嵌合側に頂部をもつＵ字状をなす突入Ｕ字状部と、上記起立壁の両側面に沿う上記突入Ｕ字状部のいずれかの腕部の基板側端部から上記底壁の底面に沿ってコネクタ幅方向に延び回路基板の対応回路部に接続される接続部とを有する。
【００３０】
かかるプラグコネクタにおいて、本発明では、プラグ端子の接続部は、起立壁同士の対面方向であるコネクタ幅方向にて、ハウジングの底壁の範囲内で突入Ｕ字状部よりも外側に位置する部分の寸法が突入Ｕ字状部の寸法よりも大きくなっていることを特徴としている。
【００３１】
本発明では、プラグ端子の接続部は、コネクタ幅方向にて、ハウジングの底壁の範囲内で突入Ｕ字状部よりも外側に位置する部分の寸法が突入Ｕ字状部の寸法よりも大きくなっている。したがって、既述の第一発明に係るレセプタクルコネクタの場合と同様に、回路基板の対応回路部との実装面積を大きくして該回路基板への接続固定強度を大きくできるとともに、コネクタ実装前において不用意な外力が接続部に作用しにくくして接続部の損傷を防止できる。さらにはコネクタ挿抜過程においてプラグコネクタの傾斜姿勢のもとで接続部に対して生じる曲げ応力に対して該接続部で十分に耐えることにより、対応回路部からの接続部の剥離を良好に防止できる。
【００３２】
本発明において、ハウジングは、コネクタ幅方向での両端に位置する起立壁対の端子配列方向での端部同士を連結する端壁対をも有しており、上記起立壁対および上記端壁対のうち少なくとも一方の対の嵌合側端面が回路基板に対して平行な平坦面を有し、該平坦面が、回路基板へのコネクタ実装時に嵌合側からの押圧力を受ける被圧面として形成されていてよい。
【００３３】
回路基板上へのコネクタの実装時に該コネクタを嵌合側から押圧する必要がある場合、例えば、異方性導電膜（ＡＣＦ）や異方性導電ペースト（ＡＣＰ）等で形成された導電層を介して回路基板にコネクタを実装する場合、上述のように回路基板に対して平行な平坦面をなす被圧面を形成しておくことにより、既述の第一発明に係るレセプタクルコネクタの場合と同様に、押圧部材等で嵌合側から押圧して、全ての端子の接続部を、それぞれ対応する対応回路部に対して均等に接続させることができる。
【発明の効果】
【００３４】
本発明によれば、レセプタクル端子そしてプラグ端子のそれぞれの接続部は、コネクタ幅方向にて、ハウジングの底壁の範囲内で受入Ｕ字状部あるいは突入Ｕ字状部よりも外側に位置する部分の寸法が該受入Ｕ字状部あるいは突入Ｕ字状部の寸法よりも大きくなっており、該接続部における回路基板の対応回路部との実装面積を十分に確保して、接続固定強度を向上させることができる。また、接続固定強度を向上させるために接続部をハウジングから外方へ延出させる必要がなくなる、あるいは延出する寸法を最小限に留めることができ、接続部に対して不用意な外力が作用しにくくなるので、該接続部の損傷を防止できる。さらには、プラグコネクタが傾斜姿勢のもとで挿抜された場合であっても、レセプタクル端子そしてプラグ端子のそれぞれの接続部に対して生じる曲げ応力に対して該接続部で十分に耐えることにより、対応回路部からの接続部の剥離を良好に防止できる。
【図面の簡単な説明】
【００３５】
【図１】本発明の第一実施形態に係るコネクタ組立体の嵌合接続前の状態を示した斜視図である。
【図２】図１のコネクタ組立体の端子配列方向に対して直角な面での断面斜視図であり、端子配列方向での端子の位置における断面を示している。
【図３】図１のコネクタ組立体のレセプタクルコネクタ及びプラグコネクタを、両コネクタの受入部が上方へ開口した姿勢で示した斜視図である。
【図４】図３のレセプタクルコネクタ及びプラグコネクタを上下反転させた姿勢で示した斜視図である。
【図５】図２のレセプタクルコネクタを、導電層を介して回路基板上に実装した状態を示す断面斜視図である。
【図６】図２のコネクタ組立体のコネクタ嵌合状態における断面図である。
【図７】第二実施形態に係るレセプタクルコネクタの該端子配列方向に対して直角な面での断面斜視図であり、（Ａ）は一の実施形態（Ｂ）は変形例、（Ｃ）は他の変形例について、端子配列方向での端子の位置における断面を示している。
【図８】第三実施形態に係るコネクタ組立体のコネクタ組立体の嵌合接続前の状態を示した断面斜視図であり、端子配列方向での端子の位置における断面を示している。
【図９】図８のコネクタ組立体のレセプタクルコネクタ及びプラグコネクタを、両コネクタの受入部の開口が上方へ向いた姿勢で示している。
【図１０】図８のコネクタ組立体のコネクタ嵌合状態における断面図である。
【発明を実施するための形態】
【００３６】
以下、添付図面にもとづき、本発明の実施形態について説明する。
【００３７】
＜第一実施形態＞
図１は、本実施形態に係るコネクタ組立体の嵌合接続前の状態を示した斜視図である。図２は、図１のコネクタ組立体の端子配列方向に対して直角な面での断面斜視図であり、端子配列方向での端子の位置における断面を示している。図３は、図１のコネクタ組立体のレセプタクルコネクタ及びプラグコネクタを、両コネクタの受入部が上方へ開口した姿勢で示した斜視図である。図４は、図３のレセプタクルコネクタ及びプラグコネクタを上下反転させた姿勢で示した斜視図である。
【００３８】
図１ないし図４に示される本実施形態に係るコネクタ組立体は、回路基板（図５及び図６に示される回路基板Ｐ１）上に配されるレセプタクルコネクタ１と、他の回路基板（図６に示される回路基板Ｐ２）上に配され該他の回路基板の面に対して直角な方向をコネクタ挿抜方向としてレセプタクルコネクタ１へ嵌合接続されるプラグコネクタ２とを有している。
【００３９】
本実施形態では、図１及び図２に見られるように、レセプタクルコネクタ１及びプラグコネクタ２（以下、必要に応じて「コネクタ１，２」と総称する。）は、例えば、異方性導電膜（ＡＣＦ）や異方性導電ペースト（ＡＣＰ）等で形成された導電層を介して回路基板に実装されるようになっている。具体的には、コネクタ１，２は、回路基板への実装時において、後述するように導電層を介して回路基板上に配された後、それぞれハウジングの嵌合側の面（図３での上面）に形成された被圧面で、加熱機能を有する押圧部材（図示せず）からの回路基板側へ向けた押圧力を受ける。また、コネクタ１，２は、上記押圧力を受けている間、端子２０，５０がハウジング１０，４０の嵌合側の面に露呈した部分で、上記押圧部材からの熱も受ける。この結果、該熱が端子２０，５０の接続部２４，５２へ伝播し、上記押圧力のもとでの加熱により該接続部２４，５２と回路基板の対応回路部とが導電層を介して電気的に接続される。
【００４０】
本発明において、押圧部材により加熱することは必須ではなく、例えば、コネクタが押圧部材からの押圧力を受けた状態で紫外線（ＵＶ）を照射されることにより、該コネクタが導電層を介して回路基板に実装される形態であっても、本発明は適用可能である。このような形態では、押圧部材からコネクタに加えられる押圧力は、該コネクタの不用意な移動を阻止する程度の力でよく、コネクタを加熱しながら実装する形態と比べて小さくて済む。また、本発明において、コネクタが押圧部材によって導電層を介して実装されることは必須ではなく、例えば、コネクタが押圧部材による加圧を受けることなく半田接続により回路基板に直接実装される形態であっても、本発明は適用可能である。
【００４１】
また、以下に説明する実施形態では、金属板部材を板厚方向に屈曲して作られた、いわゆる曲げ端子がハウジングに一体モールド成形により保持されている形態について説明するが、端子の形態は、曲げ端子に限られず、例えば、金属板部材の平坦面を維持したまま該金属板部材を打ち抜いて作られた端子であってもよい。また、端子の保持形態も一体モールド成形に限られず、例えば、端子がハウジングへ圧入されて保持されていてもよい。
【００４２】
［レセプタクルコネクタの構成］
まず、レセプタクルコネクタ１の構成について説明する。レセプタクルコネクタ１は、略直方体外形をなす電気絶縁材製のハウジング１０と、該ハウジング１０の長手方向で該ハウジング１０に一体モールド成形により配列保持される複数の金属製のレセプタクル端子２０と、該ハウジング１０の長手方向、すなわち端子配列方向で端子２０の配列範囲に対して両方の外側位置で該ハウジング１０に一体モールド成形により保持される固定金具３０とを有している。
【００４３】
図１に見られるように、ハウジング１０は、取付対象面である回路基板（図示せず）の面に対して平行な底面をもち端子配列方向を長手方向として延びる底壁１１（図４参照）と、端子配列方向に延びるとともに底壁１１から上方、すなわち嵌合側へ起立する起立壁としての突壁１２と、底壁１１から起立し突壁１２を囲む周壁とを有している。該周壁は、互いに対向して端子配列方向に延びる起立壁としての二つの側壁１３と、該二つの側壁１３の端部同士を連結し端子配列方向に対して直角なコネクタ幅方向（ハウジング１０の短手方向）に延びる二つの端壁１４とを有している。上記周壁と突壁１２との間で上方に開口した四角環状の空間は、プラグコネクタ２の嵌合部を受け入れるための受入部１５を形成している。
【００４４】
突壁１２は、端子配列方向にて隣接するレセプタクル端子２０同士間に対応する位置で規制突部１２Ａを有している。該規制突部１２Ａは、側壁１３の内側面と対面する突壁１２の側面からコネクタ幅方向に突出し上下方向に延びている。該規制突部１２Ａは、コネクタ嵌合過程そしてコネクタ嵌合状態にて、コネクタ幅方向端に位置する突出頂部が、コネクタ幅方向で、プラグコネクタ２の嵌合部と当接することにより、コネクタ幅方向でのプラグコネクタ２の位置を規制するようになっている。その結果、レセプタクル端子２０の後述の接触腕部２１Ｂがプラグ端子５０に過度に押圧されて変位することに起因して該接触腕部２１Ｂが損傷する、いわゆる「へたり」を防止することができる。
【００４５】
突壁１２は、端子配列方向で隣接する規制突部１２Ａ同士間の位置で側面がコネクタ幅方向で没していて、後述のレセプタクル端子２０の接触腕部２１Ｂの弾性変位を許容する変位許容溝部１２Ｂが形成されている。該変位許容溝部１２Ｂは、図２によく見られるように、突壁１２の両側面にそれぞれ形成されていて、該両側面の変位許容溝部１２Ｂは、該突壁１２の上部では、上端から下方に向け延びる隔壁部１２Ｃによってコネクタ幅方向で隔てられていて、それぞれ上下方向に延びる溝部をなしており、下部では、両方の変位許容溝部１２Ｂがコネクタ幅方向で互いに連通しており、全体として一つのスリット状の端子溝を形成している。突壁１２の上面は、突壁上部平坦面をなしており、該突壁上部平坦面が、回路基板へのレセプタクルコネクタ１の実装時に押圧部材からの押圧力を受けるための被圧面１２Ｄとして形成されている。
【００４６】
底壁１１は、図２に見られるように、端子配列方向のレセプタクル端子２０に対応する位置に、コネクタ幅方向での突壁１２に対応する範囲で上下方向に窓状に貫通する孔部１１Ａが形成されており（図４をも参照）、該孔部１１Ａが外部空間と変位許容溝部１２Ｂとを連通せしめている。また、底壁１１は、端子配列方向でのレセプタクル端子２０及び固定金具３０の位置にて、レセプタクル端子２０の後述の接続部２４そして固定金具３０の後述の固定部３４をそれぞれ収容するための浅溝部１１Ｂが、下方（回路基板側）へ向けて開口しコネクタ幅方向で側壁１３の範囲にわたって延びて形成されている。該浅溝部１１Ｂの深さ寸法（上下方向寸法）は、接続部２４の板厚寸法と同じあるいは若干小さい寸法で形成されている。また、図２や図４によく見られるように、端子配列方向での各浅溝部１１Ｂの両側位置には、該浅溝部１１Ｂよりも深い深溝部１１Ｃが、該浅溝部１１Ｂに連通するとともにコネクタ幅方向で側壁１３の範囲にわたって延びて形成されている。該深溝部１１Ｃは、後述するように、コネクタ実装時にコーティング剤の流入を許容するようになっている。また、端子配列方向にて互いに隣接する深溝部１１Ｃ同士間の位置には、該深溝部１１Ｃ同士を仕切る仕切壁１１Ｄが形成されている。
【００４７】
側壁１３は、図２によく見られるように、コネクタ幅方向でレセプタクル端子２０の接続部２４の大部分に対応するコネクタ幅寸法（壁厚寸法）で形成されている。該側壁１３の上面には、コネクタ幅方向（壁厚方向）での中間位置で、端子配列範囲にわたって没入した没入部１３Ａが形成されている。また、側壁１３の上面は、端子配列範囲の外側でコネクタ幅方向全域にわたって没した溝部１３Ｂが形成されている。
【００４８】
また、側壁１３は、コネクタ幅方向で没入部１３Ａより内側にて端子配列範囲にわたって延びる部分の上部（没入部１３Ａの底面よりも上方に位置する部分）が、上方へ向けた凸湾曲部１３Ｃとして形成されている。側壁１３の上面は、没入部１３Ａ、溝部１３Ｂそして凸湾曲部１３Ｃを除いた領域で側壁上部平坦面をなし、該側壁上部平坦面が後述の被圧面１３Ｄとして形成されている。本実施形態では、該被圧面１３Ｄ及び凸湾曲部１３Ｃの稜線部は、突壁１２の被圧面１２Ｄと同じ高さに位置しており、回路基板へのレセプタクルコネクタ１の実装時に押圧部材からの押圧力を両者で受けるようになっている。
【００４９】
端壁１４の上面には、コネクタ幅方向での中央位置に端子配列方向全域にわたって没した溝部１４Ａが形成されているとともに、該溝部１４Ａ除いた領域で端壁上部平坦面をなしている。該端壁上部平坦面は、突壁１２の被圧面１２Ｄと同じ高さに位置しており、回路基板へのレセプタクルコネクタ１の実装時に押圧部材からの押圧力を受けるための被圧面１４Ｂとして形成されている。つまり、突壁１２の被圧面１２Ｄ、側壁１３の被圧面１３Ｄ、側壁１３の凸湾曲部１３Ｃの稜線部そして端壁１４の被圧面１４Ｂは、同じ高さに位置しており、コネクタ実装時に押圧部材から均等な押圧力を受けて同時に押圧されるようになっている。本実施形態では、被圧面が突壁１２、一対の側壁１３そして一対の端壁１４に形成されているが、これら全てに被圧面が形成されることは必須ではなく、一対の側壁１３あるいは一対の端壁１４に被圧面が形成されていれば、均等な押圧力を受けることができる。
【００５０】
レセプタクル端子２０は、帯状の金属板条片を板厚方向で屈曲して作られていて、突壁１２に対して対称をなし二列に配列された状態でハウジング１０に保持されている。図２に見られるように、レセプタクル端子２０は、ハウジング１０の突壁１２と側壁１３との間に形成された受入部１５の内壁面に沿ってＵ字状に延びる受入Ｕ字状部２１と、該Ｕ字状部２１の後述のロック腕部２１Ｃの上端（嵌合側の端部）からコネクタ幅方向外方へ向けて延びる移行部２２と、該移行部２２から下方へ向けた成分をもって延びる被保持部２３と、該被保持部２３の下端から底壁１１の底面に沿ってコネクタ幅方向外方へ向けて延びる接続部２４とを有している。
【００５１】
受入Ｕ字状部２１は、ハウジング１０の突壁１２の側面、該側面に対面する側壁１３の内側面そして底壁１１の上面とで形成される、端子配列方向に見てＵ字状をなす受入部１５の内壁面に沿って設けられている。受入Ｕ字状部２１は、底壁１１の上面に沿って延びる基部２１Ａと、コネクタ幅方向で突壁１２側に位置する基部２１Ａの一端から突壁１２の側面に沿って上方へ延びる接触腕部２１Ｂと、基部２１Ａの他端から側壁１３の内面に沿って上方へ延びるロック腕部２１Ｃとを有している。
【００５２】
接触腕部２１Ｂは、その板厚方向（コネクタ幅方向）で弾性変位可能となっており、自由状態にて、突壁１２の規制突部１２Ａ同士間の空間、突壁１２の変位許容溝部１２Ｂ外に位置している。該接触腕部２１Ｂは、その自由端側たる上端側部分が側壁１３に向けて凸湾曲して、後述するプラグコネクタ２のプラグ端子５０と接触するための接触部２１Ｂ−１として形成されている。接触部２１Ｂ−１の湾曲頂部は、コネクタ幅方向でハウジング１０の規制突部１２Ａの突出頂部よりも突出している。
【００５３】
ロック腕部２１Ｃは、受入部１５内に向けて露呈して、その上端寄り位置にて接触部２１Ｂ−１と対向するように受入部１５内に突出する突起状のロック部２１Ｃ−１が形成されている。該ロック部２１Ｃ−１は、例えば、プレス加工等により形成されており、その幅寸法（端子配列方向での寸法）はロック腕部２１Ｃの幅寸法より小さくなっている（図１参照）。該ロック部２１Ｃ−１は、後述するプラグコネクタ２のプラグ端子５０の被ロック部５１Ｂ−１に係止することにより、コネクタ嵌合状態を維持してコネクタの抜けを防止するとともに、該被ロック部５１Ｂ−１との係止時に接触して電気的に導通することにより、上記接触部２１Ｂ−１を補助する役割も果たす。
【００５４】
移行部２２は、図２によく見られるように、側壁１３の凸湾曲部１３Ｃに沿って上方へ向けて凸湾曲しており、該凸湾曲部１３Ｃの上面から露呈している。該移行部２２の上面は凸湾曲部１３Ｃの上面と相俟って一つの凸湾曲面を形成しており、コネクタ実装時にて押圧部材からの押圧力を該移行部２２の稜線部で受けるとともに、接続部２４へ伝播させるべき熱を該押圧部材からの受けるようになっている。
【００５５】
上述の「一つの凸湾曲面を形成」とは、移行部２２と凸湾曲部１３Ｃとが互いに全く同じ高さ（レベル）をもって滑らかな一つの凸湾曲面を形成する場合のみならず、両者の高さが若干異なっていて凹凸面が形成されている場合も含まれる。このように両者の高さが若干異なっていても、押圧部材による押圧加熱時にて、弾性をもつシート部材等を押圧部材とコネクタとの間に介在させることにより、上記凹凸面の存在により生じ得る押圧や加熱への影響を小さくすることができる。
【００５６】
被保持部２３は、コネクタ幅方向で受入部１５に寄った位置で、側壁１３から露呈することなく該側壁１３に埋設保持されている。図２に見られるように、被保持部２３は、下方へ向かうにつれてコネクタ幅方向内方へ傾斜するように延びている。該被保持部２３は、底壁１１の底面の位置、換言すると、受入Ｕ字状部２１の基部２１Ａよりも下方にまで延びており、被保持部２３の下部がコネクタ幅方向にてＵ字状部２１のロック腕部２１Ｃと重複範囲をもって位置している（図６をも参照）。
【００５７】
接続部２４は、コネクタ幅方向で受入Ｕ字状部２１よりも外側に位置しており、底壁１１の浅溝部１１Ｂ内で被保持部２３の下端から底壁１１の底面に沿ってコネクタ幅方向外方へ向けて直状に延びているとともに、ハウジング１０外へ若干延出している。該接続部２４は、コネクタ幅方向全域にわたって下面が露呈しており（図４をも参照）、導電層を介して回路基板の対応回路部に接続可能となっている。図２によく見られるように、接続部２４は、コネクタ幅方向にて、底壁１１の範囲内に位置する部分の寸法が受入Ｕ字状部２１の寸法（外形寸法）よりも大きくなっている。また、本実施形態では、接続部２４のハウジング１０からの延出部分はコネクタ幅方向外方へ向けて直状に延びているが、これに代えて、例えば、上記延出部分が上方へ向けて直角に屈曲されていてもよい。このように接続部２４の上記延出部分を屈曲しておくことにより、コネクタ実装時にてレセプタクルコネクタ１が押圧部材からの押圧力を受けた際に、上記延出部分の先端の縁部が回路基板や導電層を傷つけることを防止できる。
【００５８】
固定金具３０は、レセプタクル端子２０と全く同じ形状で作られていて、レセプタクルコネクタ１の平面形状における四隅に位置して設けられている。固定金具３０は、一体モールド成形により側壁１３に埋設保持される被保持部（図示せず）と、該被保持部の下端で屈曲されコネクタ幅方向外方へ延びる固定部３４とを有している。固定部３４は、端子配列方向での両端位置にて端子配列範囲外に形成された浅溝部１１Ｂ内で底壁１１に沿って延びており、導電層を介して回路基板の対応部に固定接続されるようになっている。
【００５９】
［プラグコネクタの構成］
次に、プラグコネクタ２の構成について説明する。図１ないし図４に示されるプラグコネクタ２は、他の回路基板（図６に示される回路基板Ｐ２）に取り付けられるコネクタであって、レセプタクルコネクタ１の受入部１５に適合した枠状の嵌合部（図３参照）を有しており、該嵌合部が受入部１５内に嵌入することにより、コネクタ１，２同士が嵌合接続されるようになっている。プラグコネクタ２は、略直方体外形の電気絶縁体製のハウジング４０と、該ハウジング４０の長手方向で該ハウジング４０に一体モールド成形により配列保持される複数の金属製のプラグ端子５０とを有している。
【００６０】
ハウジング４０は、図３に見られるように、上記他の回路基板の面に対して平行な底面をもつ底壁４１（図１，２，４では上壁として表れている）と該底壁４１から起立する嵌合部としての周壁とを有しており、該底壁４１と周壁によって囲まれ嵌合側（図１，２，４での下方であり図３での上方）に開口する空間が、コネクタ嵌合状態でレセプタクルコネクタ１のハウジング１０の突壁１２を受け入れる受入部４５（図２，３参照）として形成されている。また、上記周壁は、コネクタ嵌合状態にてレセプタクルコネクタ１の受入部１５に嵌入する嵌合部として機能する。図３に見られるように、上記周壁は、互いに対向して端子配列方向に延びる起立壁としての二つの側壁４３と、該二つの側壁４３の端部同士を連結し端子配列方向に対して直角なコネクタ幅方向（ハウジング４０の短手方向）に延びる二つの端壁４４とを有している。
【００６１】
図２に見られるように、底壁４１の底面は、コネクタ幅方向での両端域にて、端子配列範囲にわたって、後述のプラグ端子５０の接続部５４の板厚分だけ没入しており、この没入により、互いに隣接するプラグ端子５０同士間に凹部４１Ａが形成されている。該凹部４１Ａは、後述するように、コネクタ実装時にコーティング剤の流入を許容するようになっている。また、底壁４１は、図３によく見られるように、各プラグ端子５０に対応する位置にて、底壁４１の側面からコネクタ幅方向外方へ向けて延出しプラグ端子５０の後述の接続部５４の上面を覆う被覆部４１Ｂが形成されている。該被覆部４１Ｂは、各接続部５４のハウジング４０からの延出部分のうち根元側部分の上面を覆っている。
【００６２】
側壁４３は、図３によく見られるように、端子配列方向全域にわたって上部（図１，２，４では下部）が上方（図１，２，４では下方）へ向けた凸湾曲部４３Ｃとして形成されている。また、図３よく見られるように、端壁４４の上面（図１，２，４では下面）には、回路基板に対して平行な端壁上部平坦面をなす、被圧面４４Ｂが形成されている。本実施形態では、凸湾曲部４３Ｃの稜線部及び被圧面４４Ｂは、互いに同じ高さに位置しており、回路基板へのプラグコネクタ２の実装時に押圧部材からの押圧力を両者で受けるようになっている。また、さらに両側壁４３の上面に平坦な被圧面を形成してもよく、このように側壁４３に被圧面を形成した場合には、端壁４４の被圧面４４Ｂや凸湾曲部４３Ｃを省略してもよい。
【００６３】
プラグ端子５０は、帯状の金属板条片を板厚方向に屈曲して作られており、コネクタ幅方向で対称な二列をなして該ハウジング４０の長手方向に配列された状態で該ハウジング４０に保持されている。該プラグ端子５０は、図２によく見られるように、側壁４３に保持されるＵ字状の突入Ｕ字状部５１と、該突入Ｕ字状部５１の二つの腕部のうち受入部４５側に位置する一方の腕部（後述の内側腕部５１Ａ）の上端（図３での下端）から、コネクタ幅方向外方へ向けて延び回路基板の対応回路部に接続される接続部５４とを有している。図２によく見られるように、プラグ端子５０は、突入Ｕ字状部５１で、ハウジング４０との一体モールド成形により保持されている。
【００６４】
突入Ｕ字状部５１は、コネクタ嵌合状態にて、レセプタクルコネクタ１のレセプタクル端子２０の受入Ｕ字状部２１内に突入する部分であり（図６参照）、図２に見られるように、側壁４３を下方（図３での上方）から跨ぐようにして該側壁４３に埋設されている。該突入Ｕ字状部５１は、上下方向に延びる内側腕部５１Ａ及び外側腕部５１Ｂの下端部（図３での上端部）同士を連結部５１Ｃで連結して形成されている。
【００６５】
突入Ｕ字状部５１は、その内側板面および側縁で側壁４３により保持されていて、該側壁４３から露呈した内側腕部５１Ａ、外側腕部５１Ｂそして連結部５１Ｃのそれぞれの外側板面が、側壁４３の内側面（受入部４５側の面）、外側面（受入部４５から離反した側の面）そして下面（図３での上面）と同一の面をなすように位置している。コネクタ幅方向での突入Ｕ字状部５１の寸法は、レセプタクル端子２０の接触部２１Ｂ−１とロック部２１Ｃ−１との間隔よりも若干大きくなっている（図６参照）。
【００６６】
突入Ｕ字状部５１の内側腕部５１Ａは、側壁４３の内側面から露呈する板面の底壁４１寄り位置（図２での上側位置）の部分が、コネクタ嵌合状態にてレセプタクルコネクタ１のレセプタクル端子２０の接触部２１Ｂ−１と接圧をもって接触する対応接触部５１Ａ−１として形成されている。また、突入Ｕ字状部５１の外側腕部５１Ｂは、側壁４３の外側面から露呈する板面は、底壁４１寄り位置（図２での上側位置）の部分が没して凹部を形成していて、該凹部がレセプタクル端子２０のロック部２１Ｃ−１と係止する被ロック部５１Ｂ−１として機能する。
【００６７】
また、図３によく見られるように、連結部５１Ｃの上面は、凸湾曲部４３Ｃの上面から露呈して該上面と相俟って同レベル面をなす一つの凸湾曲面を形成している。該連結部５１Ｃは、コネクタ実装時にて押圧部材からの押圧力を該連結部５１Ｃの頂部となる稜線部で受けるとともに、接続部５４へ伝播させるべき熱を該押圧部材から受けるようになっている。
【００６８】
レセプタクルコネクタ１について既述したのと同様に、上述の「一つの凸湾曲面を形成」には、移行部２２と凸湾曲部１３Ｃとが互いに全く同じ高さ（レベル）をもって滑らかな一つの凸湾曲面を形成する場合のみならず、両者の高さが若干異なっていて凹凸面が形成されている場合も含まれている。
【００６９】
接続部５４は、図２に見られるように、底壁４１の底面に沿ってコネクタ幅方向外方へ向けて直状に延び、ハウジング４０外へ延出している。該接続部５４は、該接続部５４のコネクタ幅方向全域にわたって上面（図３での下面）が露呈しており、回路基板の対応回路部に接続可能となっている。また、図６によく見られるように、接続部５４は、コネクタ幅方向にて、底壁４１の範囲内で突入Ｕ字状部５１よりも外側に位置する部分の寸法が突入Ｕ字状部５１の寸法（外形寸法）よりも大きくなっている。
【００７０】
［回路基板へのコネクタの実装］
次に、回路基板へのレセプタクルコネクタ１及びプラグコネクタ２の実装について説明する。レセプタクルコネクタ１及びプラグコネクタ２はいずれも導電層を介して回路基板上に配され、加熱機能をもつ押圧部材（図示せず）によって加熱されるとともに回路基板側へ向けて押圧されることにより上記導電層を介して回路基板に実装されるようになっている。以下、図５に基づいてレセプタクルコネクタ１の実装要領について説明し、プラグコネクタ２の実装要領については、レセプタクルコネクタ１と異なる点のみを説明し、共通する点については説明を省略する。
【００７１】
レセプタクルコネクタ１の実装時には、まず、図５に見られるように、回路基板Ｐ１の実装面上に例えばＡＣＦで形成される導電層Ｌを配し、さらに該導電層Ｌ上にレセプタクルコネクタ１を配する。このとき、ハウジング１０の底壁１１に形成された孔部１１Ａの下部開口が導電層Ｌによって閉塞される。次に、図５に見られるように、コネクタ幅方向でハウジング１０の側壁１３の外面に接する領域に、端子配列方向でハウジング１０の全長にわたり、溶融されて流動性を有する樹脂製のコーティング剤Ｃを塗布する。該コーティング剤Ｃは、レセプタクル端子２０の接続部２４、固定金具３０の固定部３４及び導電層Ｌにおけるハウジング１０外に延出している部分を密封するとともに、ハウジング１０の深溝部１１Ｃ（図２参照）内へ流入して、該深溝部１１Ｃに充填される。その後、コーティング剤Ｃが固化する。
【００７２】
本実施形態では、上述したようにハウジング１０の孔部１１Ａの下部開口が導電層Ｌによって閉塞されているので、流動性を有するコーティング剤Ｃが孔部１１Ａを経てレセプタクル端子２０の接触腕部２１Ｂの接触部２１Ｂ−１にまで上がってくることがない。したがって、接触部２１Ｂ−１に上記コーティング剤Ｃが付着することによるプラグ端子５０との接触不良の発生を確実に防止できる。
【００７３】
コーティング剤Ｃが固化することにより、以下の効果が得られる。まず、レセプタクル端子２０の接続部２４及び固定金具３０の固定部３４がコーティング剤によって密封されることにより、マイグレーションに起因した接続部２４及び固定部３４の腐食が防止される。また、接続部２４及び固定部３４のハウジング１０からの延出部分がコーティング剤Ｃにより上方から抑えられるので、レセプタクルコネクタ１が押圧部材からの押圧力を上方から受けたときに上記延出部分が導電層Ｌから上方に浮き上がるように屈曲変形することが防止される。この結果、上記導電層を介して上記延出部分を回路基板の対応部に確実に接続できる。
【００７４】
また、図５に見られるように、コーティング剤Ｃが接続部２４及び固定部３４以外の領域で導電層Ｌの上面そして回路基板Ｐ１の上面に直接接触しているので、該レセプタクルコネクタ１自体を導電層Ｌそして回路基板Ｐ１に対して強固に固着させることができる。また、本実施形態では、ハウジング１０の深溝部１１Ｃ内に充填されているので、その分、導電層Ｌとの接触面積が大きくなり、レセプタクルコネクタ１をより確実に固着させることができる。
【００７５】
次に、レセプタクルコネクタ１のハウジング１０の被圧面１３Ｄ（側壁上部平坦面）、被圧面１４Ｂ（端壁上部平坦面）、凸湾曲部１３Ｃの稜線部及びレセプタクル端子２０の移行部２２の稜線部を押圧部材（図示せず）によって図５の上方から押圧する。また、これと同時に、上記押圧部材によってレセプタクル端子２０の移行部２２の稜線部を加熱する。移行部２２の稜線部が押圧部材からの熱を受けると、その熱は被保持部２３を経て接続部２４へ伝播する。この結果、接続部２４は、加熱された状態のもとで、導電層Ｌを介して回路基板Ｐ１の対応回路部に対して押し付けられ、該対応回路部に接続されて電気的に導通する。また、固定金具３０もハウジング１０を介して押圧部材からの熱を受け、固定部３４が加熱された状態の下で、導電層Ｌを介して回路基板の対応部に接続固定される。
【００７６】
プラグコネクタ２の実装要領も、既述のレセプタクルコネクタ１の実装要領と同様に、導電層を介して他の回路基板（図６の回路基板Ｐ２）上に配し、コーティング剤Ｃを塗布した後、押圧部材により加熱されながら該他の回路基板へ向けて押圧されることにより該回路基板に実装される。このとき、押圧部材によって、ハウジング４０の被圧面４４Ｂ（端壁上部平坦面）、凸湾曲部４３Ｃの稜線部及びプラグ端子５０の連結部５１Ｃの稜線部が押圧され、該連結部５１Ｃの稜線部が押圧部材からの熱を受ける。また、コーティング剤Ｃは、ハウジング４０の凹部４１Ａ（図２参照）内へ流入して、該凹部４１Ａに充填される。
【００７７】
本実施形態では、コネクタ幅方向にて、レセプタクル端子２０の接続部２４が受入Ｕ字状部２１よりも大きく形成され、また、プラグ端子５０の接続部５４が突入Ｕ字状部５１よりも大きく形成されているので、接続部２４，５４における回路基板の対応回路部との実装面積を大きくすることができ、接続固定強度を向上させることができる。
【００７８】
また、接続部２４，５４は、それぞれハウジング１０，４０の底壁１１，４１の範囲内に位置する部分によってコネクタ幅方向での十分な寸法を確保しているので、接続固定強度を向上させるために接続部２４，５４をハウジング１０から延出させる寸法を最小限に留めることができる。したがって、回路基板へのコネクタ実装前において、接続部２４，５４におけるハウジング１０から延出している部分に不用意な外力が作用しにくくなるので、該接続部２４，５４の損傷を防止できる。また、接続部２４，５４をハウジング外に延出させることは必須ではなく、例えば、接続部２４，５４の全長をハウジング１０，４０の範囲内に収めることにより、接続部２４，５４をハウジング１０，４０外へ延出させないこととしてもよい。これによって、上記外力が接続部２４，５４に作用しにくくなり、該接続部２４，５４の損傷をより確実に防止できる。
【００７９】
また、本実施形態では、既述したようにレセプタクル端子２０の被保持部２３がコネクタ幅方向内方へ向けて傾斜しているので、被保持部が傾斜することなく下方へ延びる場合と比べて、接続部２４における底壁１１の範囲内に位置する部分の寸法を大きくすることができる。この結果、接続部２４における回路基板の対応回路部との実装面積をさらに大きくすることができ、接続固定強度を向上させることができる。
【００８０】
［コネクタの嵌合動作］
次に、コネクタ１，２の嵌合動作について説明する。まず、既述した要領でコネクタ１，２をそれぞれ対応する回路基板に実装する。次に、図１及び図２に見られるように、レセプタクルコネクタ１を受入部１５が上方へ開口した姿勢とするとともに、プラグコネクタ２を受入部４５が下方へ開口した姿勢として該レセプタクルコネクタ１の上方位置へもたらす。そして、図１及び図２にて矢印で示されるように、プラグコネクタ２を下方へ移動させ、該プラグコネクタ２の嵌合部をレセプタクルコネクタ１の受入部１５内へ嵌入させる。
【００８１】
この結果、図６に示されるように、プラグコネクタ２のプラグ端子５０の突入Ｕ字状部５１は、レセプタクルコネクタ１のレセプタクル端子２０の受入Ｕ字状部２１に形成された接触部２１Ｂ−１およびロック部２１Ｃ−１との間を押し拡げて突入する。そして、接触部２１Ｂ−１が変位許容溝部１２Ｂ内へ向けて押圧されることにより、接触腕部２１Ｂが該変位許容溝部１２Ｂ内へ進入するように弾性変位する。さらに、突入Ｕ字状部５１の突入が進行すると、上記接触部２１Ｂ−１が突入Ｕ字状部５１の対応接触部５１Ａ−１と接圧をもって接触するとともに、ロック部２１Ｃ−１が該突入Ｕ字状部５１の被ロック部５１Ｂ−１と上下方向で係止する。この結果、コネクタの端子同士が電気的に導通するとともに互いにロックされ、コネクタ同士の嵌合接続が完了する。
【００８２】
本実施形態では、端子２０，５０の接続部２４，５４は、それぞれコネクタ幅方向でＵ字状部２１，５１よりも外側に位置する部分の寸法が大きく確保されており、接続部２４，５４がＵ字状部２１，５１から上記寸法分だけ離れた範囲にまで及んで存在している。したがって、例えばプラグコネクタがこじられながら挿抜されて、コネクタ挿抜過程にてコネクタ幅方向（図６での左右方向）で傾斜姿勢となることにより、端子２０，５０のＵ字状部２１，５１が互いにコネクタ幅方向で受ける反力に起因して接続部２４，５４に曲げ応力が生じても、該曲げ応力に対して接続部２４，５４で十分に耐えることができ、対応回路部からの接続部の剥離を良好に防止できる。
【００８３】
また、本実施形態では、図６によく見られるように、コネクタ嵌合状態において、レセプタクルコネクタ１の側壁１３は、プラグコネクタ２が実装されている回路基板Ｐ２の下面に側壁１３の被圧面１３Ｄが近接して対面するような高さで形成されている。したがって、プラグコネクタ２の挿抜過程で該プラグコネクタ２がコネクタ幅方向で傾斜姿勢となったとき、回路基板Ｐ２の下面がレセプタクルコネクタ１の側壁１３の角部に当接して、該回路基板Ｐ２ひいてはプラグコネクタ２のそれ以上の傾斜が規制される。この結果、プラグコネクタ２が大きく傾斜して該プラグ端子５０の外側腕部５１Ｂがレセプタクル端子のロック部２１Ｃ−１にコネクタ幅方向で強く当接することがなくなるので、該ロック部２１Ｃ−１の損傷を確実に防止できる。
【００８４】
＜第二実施形態＞
第一実施形態では、レセプタクルコネクタ１のレセプタクル端子２０が、移行部２２の稜線部で押圧部材と接触して該押圧部材から熱を受けることとしたが、本実施形態では、レセプタクル端子１２０が、該レセプタクル端子１２０に形成された平坦面で押圧部材と接触して受熱するようになっており、この点で第一実施形態と異なっている。本実施形態に係るレセプタクルコネクタ１０１に嵌合接続されるプラグコネクタについては、第一実施形態のプラグコネクタ２と全く同じ構成であるので、説明を省略する。以下、本実施形態のレセプタクルコネクタ１０１について、第一実施形態と異なる点を中心に説明する。
【００８５】
図７（Ａ）は、第二実施形態に係るレセプタクルコネクタ１０１の端子配列方向に対して直角な面での断面斜視図であり、端子配列方向でのレセプタクル端子１２０の位置における断面を示している。この図７（Ａ）では、第一実施形態と対応する部分については、第一実施形態での符号に「１００」を加えた符号で示している。
【００８６】
図７（Ａ）に示されるレセプタクルコネクタ１０１のハウジング１１０は、互いに高さの異なる二つの平坦面（上下方向に対して直角な面）から成る段状をなしている。具体的には、側壁１１３の上面は、第一実施形態のハウジング１０の側壁１３から凸湾曲部１３Ｃを省略したような形状をなしており、コネクタ幅方向での内半部の平坦な上面が外半部の平坦な上面よりも低くなっている。本実施形態では、側壁１１３の上面のうち上記外半部の上面が、コネクタ実装時に押圧部材からの押圧力を受けるための被圧面１１３Ｄとして形成されている。
【００８７】
レセプタクル端子１２０は、受入Ｕ字状部１２１と、該受入Ｕ字状部１２１のロック腕部１２１Ｃの上端からコネクタ幅方向外方へクランク状に延びる移行部１２２と、移行部１２２の端部（コネクタ幅方向外側に位置する端部）から下方へ向かうにつれてコネクタ幅方向内方へ傾斜して延びる被保持部１２３と、該被保持部１２３の下端からコネクタ幅方向外方へ延びる接続部１２４とを有している。
【００８８】
受入Ｕ字状部１２１は、第一実施形態のレセプタクル端子２０の受入Ｕ字状部２１と同じ形状である。移行部１２２は、側壁１１３の上面に沿ってクランク状に延びコネクタ幅方向での外半部が内半部よりも上方に位置している。該移行部１２２は、側壁１１３の上面から露呈した露呈部をなしており、該移行部１２２の上面が側壁１１３の上面と相俟って一つの面を形成している。本実施形態では、該移行部１２２の外半部の上面が側壁１１３の被圧面１１３Ｄと相俟って同一レベルの一つの平面を形成しており、コネクタ実装時に押圧部材（図示せず）からの押圧力を受けるのと同時に、上記移行部１２２の外半部の上面で上記押圧部材の押圧加熱面に接面して受熱するようになっている。
【００８９】
上述の「一つの平面を形成」には、移行部１２２の外半部の上面と側壁１１３の被圧面１１３Ｄとが互いに全く同じ高さ（レベル）をもって滑らかな一つの平面を形成する場合のみならず、両者の高さが若干異なっていて凹凸面が形成されている場合も含まれている。このように両者の高さが若干異なっていても、第一実施形態で既述したのと同様に、押圧部材による押圧加熱時にて、弾性をもつシート部材等を押圧部材とコネクタとの間に介在させることにより、上記凹凸面の存在により生じ得る押圧や加熱への影響を小さくすることができる。これは、後述する図７（Ｂ），（Ｃ）の形態においても同様である。
【００９０】
図７（Ａ）に見られるように、被保持部１２３は、第一実施形態の被保持部２３と比べて大きく傾斜していて、ハウジング１１０外から露呈することなく側壁１１３内に埋設されている。接続部１２４は、コネクタ幅方向での受入Ｕ字状部１２１よりも外側で、底壁１１１の底面に沿って直状に延びハウジング１１０外に若干延出している。本実施形態においても、接続部１２４は、コネクタ幅方向で底壁１１１の範囲内で受入Ｕ字状部１２１よりも外側に位置する部分が受入Ｕ字状部１２１よりも大きい寸法で形成されており、これによって、第一実施形態にて既述した効果が得られる。
【００９１】
また、固定金具１３０は、既述のレセプタクル端子１２０と同じ形状で作られており、図７（Ａ）に見られるように、該レセプタクル端子１２０の移行部１２２の外半部に対応する部分の平坦な上面がハウジング１１０の上面（被圧面１１３Ｄ）から露呈しており、この上面（露呈面）で押圧部材の押圧加熱面に接面して受熱するようになっている。
【００９２】
このように本実施形態では、レセプタクル端子１２０そして固定金具１３０が押圧部材の押圧加熱面に対して平坦な板面で接触可能となっているので、第一実施形態と比べて上記押圧加熱面との接触面積を大きくでき、効率よく確実に受熱できる。
【００９３】
図７（Ｂ）は、本実施形態における変形例を示す図であり、図７（Ａ）の各部に対応する部分には、図７（Ａ）での符号に「１００」を加えた符号を付して示している。図７（Ａ）の形態では、押圧加熱面に接面可能な露呈部はレセプタクル端子１２０の移行部１２２に形成されることとしたが、これに代えて、図７（Ｂ）のように、レセプタクル端子２２０の自由端側部分に形成することもできる。図７（Ｂ）に示されるレセプタクルコネクタ２０１のハウジング２１０は、図７（Ａ）のレセプタクルコネクタ１０１のハウジング１１０と同じ形状であるので説明を省略する。
【００９４】
図７（Ｂ）のレセプタクルコネクタ２０１のレセプタクル端子２２０は、第一実施形態におけるレセプタクル端子２０に後述の延長部２２５及び露呈部２２６を追加したような形状をなしている。具体的には、図７（Ｂ）に見られるように、接続部２２４の外端部（コネクタ幅方向で外側に位置する端部）から上方へ向かうにつれてコネクタ幅方向で内方へ傾斜するように延長部２２５が延びており、該延長部２２５の上端から露呈部２２６がコネクタ幅方向外方へ向けて側壁２１３の上面の外半部（被圧面２１３Ｄ）に沿って直状に延びている。延長部２２５は、ハウジング２１０から露呈することなく全体がハウジング２１０内に埋設されて保持されている。露呈部２２６は、上面が側壁２１３の被圧面２１３Ｄから露呈して、この上面（露呈面）で押圧部材の押圧加熱面に接面して受熱するようになっている。上記露呈面で押圧部材の押圧加熱面から受けた熱は、延長部２２５を経て接続部１２４に伝播する。
【００９５】
また、固定金具２３０は、レセプタクル端子２２０と同じ形状で作られており、レセプタクル端子２２０と同様に、ハウジング２１０の上面から露呈した面で押圧部材からの熱を受けるようになっている。
【００９６】
このように図７（Ｂ）の形態においても、レセプタクル端子２２０そして固定金具２３０は、平坦な板面で押圧部材の押圧加熱面に接触可能となっているので、図７（Ａ）の形態と同様に、上記押圧加熱面との接触面積を大きくでき、効率よく確実に受熱できる。
【００９７】
図７（Ｃ）は、本実施形態における他の変形例を示す図であり、図７（Ｂ）の各部に対応する部分には、図７（Ｂ）での符号に「１００」を加えた符号を付して示している。図７（Ｂ）の形態では、ハウジング２１０の側壁２１３の内半部そしてレセプタクル端子２２０の移行部２２２の上端が、それぞれ側壁２１３の被圧面２１３Ｄそしてレセプタクル端子２２０の露呈部２２６よりも低く位置していた。これに対して図７（Ｃ）のレセプタクルコネクタ３０１では、第一実施形態のレセプタクルコネクタ１と同様に、ハウジング３１０の側壁３１３の内半部に、該側壁３１３の被圧面３１３Ｄと同じ高さの凸湾曲部３１３Ｃが設けられている点、そしてレセプタクル端子３２０の移行部３２２が凸湾曲部３１３Ｃに沿って延びている点で、図７（Ｂ）のレセプタクルコネクタ２０１と構成が相違している。
【００９８】
図７（Ｃ）のレセプタクルコネクタ３０１によれば、側壁３１３の凸湾曲部３１３Ｃそしてレセプタクル端子３２０の移行部３２２の稜線部においても押圧部材からの押圧力を受けることができるとともに、該移行部３２２の稜線部においても該押圧加熱面から受熱することができる。
【００９９】
図７（Ｃ）のようなハウジングの側壁の内半部そしてレセプタクル端子の移行部をそれぞれハウジングの外半部そしてレセプタクル端子の露呈面と同じ高さにする形態は、図７（Ａ）に示したレセプタクルコネクタ１０１にも適用可能である。
【０１００】
また、固定金具３３０は、レセプタクル端子３２０と同じ形状で作られており、レセプタクル端子３２０と同様に、ハウジング３１０の上面から露呈した面、すなわち移行部３３２及び露呈部３３６で押圧部材からの押圧力そして熱を受けるようになっている。
【０１０１】
＜第三実施形態＞
第一実施形態では、レセプタクル端子２０の移行部２２、被保持部２３そして接続部２４は、受入Ｕ字状部２１の二つの腕部のうちコネクタ幅方向で外側に位置するロック腕部２１Ｃの上端から延びていた。一方、本実施形態では、レセプタクル端子の移行部、被保持部そして接続部が受入Ｕ字状部の二つの腕部のうちコネクタ幅方向で内側に位置する接触腕部の上端から延びており、主にこの点で第一実施形態と異なっている。以下、本実施形態について、図８ないし図１０に基づき、第一実施形態と異なる点を中心に説明する。
【０１０２】
図８は、第三実施形態に係るコネクタ組立体のコネクタ組立体の嵌合接続前の状態を示した断面斜視図であり、端子配列方向での端子の位置における断面を示している。図９は、図８のコネクタ組立体のレセプタクルコネクタ及びプラグコネクタを、両コネクタの受入部の開口が上方へ向いた姿勢で示している。図１０は、図８のコネクタ組立体のコネクタ嵌合状態における断面図である。図８ないし図１０では、第一実施形態と対応する部分については、第一実施形態での符号に「４００」を加えた符号で示している。
【０１０３】
［レセプタクルコネクタの構成］
本実施形態に係るレセプタクルコネクタ４０１は、ハウジング４１０及び該ハウジング４１０に配列保持される複数のレセプタクル端子４２０を有しているが、第一実施形態のレセプタクルコネクタ１に設けられていたような固定金具は有していない。
【０１０４】
ハウジング４１０の底壁４１１は、図８に見られるように、第一実施形態の孔部１１Ａや深溝部１１Ｃに対応する孔部や溝部が形成されておらず、該底壁４１１の底面が、後述するレセプタクル端子４２０の接続部４２４を保持する溝部を除き、全体として平坦な面をなしている。
【０１０５】
ハウジング４１０の突壁４１２は、図８に見られるように、第一実施形態の変位許容溝部１２Ｂに対応する溝部が形成されておらず、後述するレセプタクル端子４２０の内側接触腕部４２１Ｂ、移行部４２２、被保持部４２３を一体モールド成形により保持している。該突壁４１２の突壁上部平坦面は、回路基板（図示せず）へのコネクタ実装時に押圧部材（図示せず）からの押圧力を受ける被圧面４１２Ｄとして形成されている。
【０１０６】
図８に見られるように、各側壁４１３は、端子配列方向で互いに並行して延びる内側側壁４１３−１及び外側側壁４１３−２と、コネクタ幅方向に延びて該内側側壁４１３−１及び外側側壁４１３−２の端子配列方向端部同士を連結する連結壁４１３−３とを有している。該内側側壁４１３−１、外側側壁４１３−２そして二つの連結壁４１３−３によって囲まれ上方（嵌合側）に開口する空間は、コネクタ嵌合状態でプラグコネクタ４０２の内側側壁４４３−１を受け入れるための側壁凹部４１３−４を形成している（図１０をも参照）。
【０１０７】
外側側壁４１３−２は、図８に見られるように、コネクタ幅方向で外側に位置する外半部４１３−２Ｂが内半部４１３−２Ａよりも低くなっており、該外側側壁４１３−２の上面が段状をなしている。内側側壁４１３−１、外側側壁４１３−２の内半部４１３−２Ａそして連結壁４１３−３のそれぞれの上面が相俟って形成する一つの平坦面は、突壁４１２の被圧面４１２Ｄと同じ高さに位置し被圧面４１３Ｄをなしている。
【０１０８】
端壁４１４は、端子配列方向での内半部に、コネクタ幅方向中央位置で突壁４１２側へ向け突出して上記外半部を該突壁４１２と連結している突部（図示せず）が設けられている。上記内半部は、上記突部を除き、外半部よりも低くなっており、コネクタ幅方向で上記突部によって隔てられた二つの端壁凹部４１４−４が形成されている。また、該端壁４１４の外半部及び上記突部は、側壁４１３−２の外半部４１３−２Ｂと同じ高さで形成されている。
【０１０９】
レセプタクル端子４２０は、第一実施形態のレセプタクル端子２０と同様に、受入Ｕ字状部４２１、移行部４２２、被保持部４２３及び接続部４２４を有しているが、後述するように各部の形状がレセプタクル端子２０の対応部分と異なっている。
【０１１０】
受入Ｕ字状部４２１は、図８に見られるように、底壁４１１の上面に沿ってコネクタ幅方向に延びる基部４２１Ａと、該基部４２１Ａの一端から突壁４１２の側面に沿って上方へ延びる内側接触腕部４２１Ｂと、基部４２１Ａの他端から内側側壁４１３−１の内側面に沿って上方へ延びる外側接触腕部４２１Ｃとを有している。
【０１１１】
内側接触腕部４２１Ｂは、その平坦な板面が突壁４１２の側面から露呈した状態で一体モールド成形により突壁４１２に埋設保持されていて、その露呈した板面で、後述のプラグ端子４５０の内側腕部４５１Ａと接触可能となっている。該内側接触腕部４２１Ｂは、その接触部がコネクタ幅方向外方（受入部４１５側）へ向けて突出しておらず、また、該コネクタ幅方向（板厚方向）で弾性変位することもなく、この点で、第一実施形態のレセプタクル端子２０の接触腕部２１Ａと異なっている。ただし、内側接触腕部４２１Ｂの接触部が突出していないことは必須ではなく、若干突出していてもよい。
【０１１２】
外側接触腕部４２１Ｃは、その平坦な板面が内側側壁４１３−１の内側面から露呈した状態で一体モールド成形により埋設保持されていて、その露呈した板面でプラグ端子４５０の外側腕部４５１Ｂと接触可能となっている。該外側接触腕部４２１Ｃは、コネクタ幅方向内方（受入部４１５側）へ向けて突出するロック部を有しておらず、この点で、第一実施形態のレセプタクル端子２０のロック腕部２１Ｃと異なっている。また、外側接触腕部４２１Ｃは、上端部がコネクタ幅方向外方へ向けて屈曲されており、内側側壁４１３−１の上面（被圧面４１３Ｄ）から露呈した板面で、コネクタ実装時に押圧部材の押圧加熱面に接面して熱を受けるようになっている。
【０１１３】
移行部４２２は、内側接触腕部４２１Ｂの上端からコネクタ幅方向内方へ向けて延びその一部の板面が突壁４１２から露呈した状態で該突壁４１２に埋設保持されていて、該突壁４１２の上面（被圧面４１２Ｄ）から露呈した板面で、コネクタ実装時に押圧部材の押圧加熱面に接面して熱を受けるようになっている。また、被保持部４２３は、該移行部４２２から下方へ向けて底壁４１１の底面の高さ位置に至るまで、傾斜することなく直状に延びており、突壁４１２から露呈することなく該突壁４１２に埋設保持されている。
【０１１４】
接続部４２４は、被保持部４２３の下端から底壁４１１の底面に沿ってコネクタ幅方向外方へ向けて直状に延び、ハウジング４１０外へ若干延出している。図８に見られるように、接続部４２４は、コネクタ幅方向にて、底壁１１の範囲内で受入Ｕ字状部４２１よりも外側に位置する部分の寸法が受入Ｕ字状部４２１の寸法（外形寸法）よりも大きくなっている。したがって、本実施形態においても、第一実施形態にて既述した効果が得られる。また、本実施形態では、接続部４２４のハウジング４１０からの延出部分はコネクタ幅方向外方へ向けて直状に延びているが、これに代えて、例えば、上記延出部分が上方へ向けて直角に屈曲されていてもよい。このように接続部４２４の上記延出部分を屈曲しておくことにより、第一実施形態で既述したのと同様に、コネクタ実装時に上記延出部分の先端の縁部が回路基板や導電層を傷つけることを防止できる。
【０１１５】
［プラグコネクタの構成］
プラグコネクタ４０２のハウジング４４０は、図９によく見られるように、底壁４４１から起立し二つの側壁４４３同士間で端子配列方向に延びる起立壁としての二つの突壁４４２を有しており、この点で、突壁を有していない第一実施形態のプラグコネクタ２のハウジング４０と大きく異なっている。該突壁４４２は、端子配列方向での両端部が端壁４４４と連結されており、また、上端部に上方へ向けた凸湾曲部４４２Ｃが形成している。凸湾曲部４４２Ｃの頂部となる稜線部は、後述する側壁４４３の被圧面４４３Ｄ及び端壁４４４の被圧面４４４Ｂと同じ高さに位置しており、コネクタ実装時にて押圧部材からの押圧力を受けるようになっている。また、二つの突壁４４２同士間で端子配列方向に延びる空間は、コネクタ嵌合状態でレセプタクルコネクタ４０１の突壁４１２を受け入れるための受入部４４５を形成している。
【０１１６】
図９に見られるように、各側壁４４３は、端子配列方向で互いに並行して延びる内側側壁４４３−１と外側側壁４４３−２とを有している。内側側壁４４３−１は、突壁４４２、外側側壁４４３−２そして端壁４４４によって囲まれており、該内側側壁４４３−１を囲む四角環状の空間は、コネクタ嵌合状態でレセプタクルコネクタ４０１の側壁４１３を受け入れるための側壁凹部４４３−４を形成している。また、外側側壁４４３−２は、図９に見られるように、内側側壁４４３−１よりも低くなっている。内側側壁４４３−１の平坦な上面は、コネクタ実装時に押圧部材からの押圧力を受けるための被圧面４４３Ｄをなしている。
【０１１７】
端壁４４４は、図９に見られるように、外側側壁４４３−２同士を連結している。該端壁４４４は、端子配列方向での外半部４４４−２が内半部４４４−１よりも低くなっており、該端壁４４４の上面が段状をなしている。端壁４４４の内半部４４４−１は、コネクタ幅方向での中央位置で端壁没入部４４４−１Ａが没入形成されており、端壁没入部４４４−１Ａがコネクタ嵌合状態にてレセプタクルコネクタ４０１の端壁４１４の突部を受け入れるようになっている。端壁４４４の内半部４４４−１の平坦な上面は、コネクタ実装時に押圧部材からの押圧力を受けるための被圧面４４４Ｂをなしている。
【０１１８】
プラグ端子４５０は、図８に見られるように、第一実施形態のプラグ端子５０と同様に、突入Ｕ字状部４５１と、該突入Ｕ字状部４５１の二つの腕部のうちの内側腕部４５１Ａの上端（図９での下端）からコネクタ幅方向外方へ向けて直状に延びる接続部４５４を有している。しかし、プラグ端子４５０は、突入Ｕ字状部４５１が突壁４４２の外面に沿って延びており、この点で、突入Ｕ字状部５１が側壁４３の外面に沿って延びている第一実施形態のプラグ端子５０と異なっている。また、プラグ端子４５０の突入Ｕ字状部４５１の外側腕部４５１Ｂは、突壁４４２の側面から露呈している板面、すなわちレセプタクル端子４２０の外側接触腕部４２１Ｃと接触する板面全体が平坦な面をなしており、この点で、凹状の被ロック部５１Ｂ−１が形成されている第一実施形態のプラグ端子５０と異なる。
【０１１９】
図８に見られるように、プラグ端子４５０の接続部４５４は、コネクタ幅方向にて、底壁４１１の範囲内で突入Ｕ字状部４５１よりも外側に位置する部分の寸法が突入Ｕ字状部４５１の寸法（外形寸法）よりも大きくなっている。したがって、本実施形態においても、第一実施形態にて既述した効果が得られる。また、本実施形態では、接続部４５４のハウジング４４０からの延出部分はコネクタ幅方向外方へ向けて直状に延びているが、これに代えて、例えば、上記延出部分が上方へ向けて直角に屈曲されていてもよい。このように接続部４５４の上記延出部分を屈曲しておくことにより、レセプタクルコネクタ４０１について既述したのと同様に、コネクタ実装時に上記延出部分の先端の縁部が回路基板や導電層を傷つけることを防止できる。
【０１２０】
［回路基板へのコネクタの実装］
本実施形態のレセプタクルコネクタ４０１そしてプラグコネクタ４０２は、第一実施形態と同じ要領で、コーティング剤を塗布された後、押圧部材で押圧そして加熱されることにより、導電層を介して回路基板に実装される。本実施形態では、レセプタクルコネクタ４０１は、突壁４１２の被圧面４１２Ｄ及び側壁４１３の被圧面４１３Ｄで押圧部材からの押圧力を受け、レセプタクル端子２０の外側接触腕部４２１Ｃの上端部および移行部４２２のそれぞれの露呈面で押圧部材からの熱を受ける。また、プラグコネクタ４０２は、内側側壁４４３−１の被圧面４４３Ｄ、端壁４４４の内半部４４４−１の被圧面４４４Ｂそして突壁４４２の凸湾曲部の稜線部で押圧部材からの押圧力を受け、プラグ端子４５０の連結部４５１Ｃの稜線部で押圧部材からの熱を受ける。
【０１２１】
［コネクタの嵌合動作］
レセプタクルコネクタ４０１とプラグコネクタ４０２は、それぞれ回路基板に実装された後、以下の要領で嵌合接続される。まず、図８に見られるように、レセプタクルコネクタ４０１を受入部４１５及び側壁凹部４１３−４が上方へ開口した姿勢とするとともに、プラグコネクタ４０２を受入部４４５及び側壁凹部４４３−４が下方へ開口した姿勢として該レセプタクルコネクタ１の上方位置へもたらす。そして、図８にて矢印で示されるように、プラグコネクタ４０２を下方へ移動させ、該プラグコネクタ４０２の突壁４１２をレセプタクルコネクタ４０１の受入部４１５内へ上方から嵌入させる。このとき、レセプタクルコネクタ４０１の側壁４１３（外側側壁４１３−２の外半部を除いた部分）がプラグコネクタ４０２の側壁凹部４４３−４に下方から嵌入する。また、プラグコネクタ４０２の端壁４４４の内半部４４４−１がレセプタクルコネクタ４０１の端壁凹部４１４−４内へ上方から嵌入するとともに、レセプタクルコネクタ４０１の突部がプラグコネクタ４０２の端壁４４４の端壁没入部４４４−１Ａ内に下方から嵌入する。
【０１２２】
この結果、図１０に示されるように、プラグコネクタ４０２のプラグ端子４５０の突入Ｕ字状部４５１が、レセプタクルコネクタ４０１のレセプタクル端子４２０の受入Ｕ字状部４２１の接触腕部４２１Ｂ，４２１Ｃ同士間に突入する。そして、突入Ｕ字状部４５１の内側腕部４５１Ａそして外側腕部４５１Ｂが、受入Ｕ字状部４２１の内側接触腕部４２１Ｂそして外側接触腕部４２１Ｃにそれぞれ接圧をもって接触する。この結果、コネクタの端子同士が電気的に導通し、コネクタ同士の嵌合接続が完了する。
【０１２３】
また、図１０に見られるように、コネクタ嵌合状態において、レセプタクルコネクタ４０１の外側側壁４１３−２の外半部の上面と、プラグコネクタ４０２の外側側壁４４３−２の下面（図９での上面）とは、上下方向（高さ方向）でのほぼ中央位置で互いに接面している。つまり、図１０に見られるように、コネクタ嵌合状態において、コネクタ４０１，４０２の外側側壁４１３−２，４４３−２の最も外側の側面は、コネクタ幅方向で互いに同位置にある。このように本実施形態では、プラグコネクタ４０２の外側側壁４４３−２が、レセプタクルコネクタ４０１の側壁４１３よりも内側に形成された凹部内に嵌入しない構成としたので、プラグコネクタ４０２の側壁４４３の外面に塗布されて固化したコーティング剤がレセプタクルコネクタ４０１の側壁４１３と干渉することが防止されている。
【符号の説明】
【０１２４】
１，１０１，２０１，３０１，４０１  レセプタクルコネクタ
２，４０２  プラグコネクタ
１０，１１０，２１０，３１０，４１０  ハウジング
１１，１１１，２１１，３１１，４１１  底壁
１１Ａ  孔部
１２，１１２，２１２，３１２，４１２  突壁（起立壁）
１２Ａ  規制突部
１２Ｄ，１１２Ｄ，２１２Ｄ，３１２Ｄ，４１２Ｄ  被圧面
１３，１１３，２１３，３１３，４１３  側壁（起立壁）
１３Ｄ，１１３Ｄ，２１３Ｄ，３１３Ｄ，４１３Ｄ  被圧面
１４，１１４，２１４，３１４．４１４  端壁
１４Ｂ，１１４Ｂ，２１４Ｂ，３１４Ｂ  被圧面
１５，１１５，２１５，３１５，４１５  受入部
２０，１２０，２２０，３２０，４２０  レセプタクル端子
２１，１２１，２２１，３２１，４２１  受入Ｕ字状部
２１Ｂ，１２１Ｂ，２２１Ｂ，３２１Ｂ  接触腕部
２１Ｂ−１，１２１Ｂ−１，２２１Ｂ−１，３２１Ｂ−１  接触部
２１Ｃ，１２１Ｃ，２２１Ｃ，３２１Ｃ  ロック腕部
２２，１２２，２２２，３２２，４２２  移行部
２３，１２３，２２３，３２３，４２３  被保持部
２４，１２４，２２４，３２４，４２４  接続部
４０，４４０  ハウジング
４１，４４１  底壁
４３，４４３  側壁（起立壁）
４４，４４４  端壁
４４Ｂ，４４４Ｂ  被圧面
５０，４５０  プラグ端子
５１，４５１  突入Ｕ字状部
５１Ａ，４５１Ａ  内側腕部
５１Ｂ，４５１Ｂ  外側腕部
５４，４５４  接続部
２２５  延長部
２２６  露呈部
４２１Ｂ  内側接触腕部
４２１Ｃ  外側接触腕部
４４２  突壁
４４３Ｄ  被圧面
【図１】
2015232970.tif 000003
【図２】
2015232970.tif 000004
【図３】
2015232970.tif 000005
【図４】
2015232970.tif 000006
【図５】
2015232970.tif 000007
【図６】
2015232970.tif 000008
【図７】
2015232970.tif 000009
【図８】
2015232970.tif 000010
【図９】
2015232970.tif 000011
【図１０】
2015232970.tif 000012